(57)【特許請求の範囲】
【請求項１】
ヘッドエンドに接続する複数の第１光ファイバー伝送路と、各前記光ファイバー伝送路に接続する光ノード装置と、前記光ノード装置から下流側に向かって布設され、複数の分岐装置によって複数の経路に分岐させ、タップオフにより分岐させて複数の需要家まで布設された第１同軸ケーブル伝送路と、を有したＨＦＣシステムにおいて、
前記ヘッドエンドから前記タップオフの位置まで布設され、第１光ファイバー伝送路を伝搬する光の波長とは異なる波長の光を伝搬させる複数の第２光ファイバー伝送路と、
前記タップオフの位置に設置され、各前記第２光ファイバー伝送路に接続する拡張タップオフと、
前記第１同軸ケーブル伝送路のうち、前記タップオフと複数の需要家との間に敷設された前記第１同軸ケーブル伝送路をそのまま利用して、各前記拡張タップオフと複数の需要家との間に敷設された第２同軸ケーブル伝送路と、
各前記需要家の屋外に設置され、前記第２同軸ケーブル伝送路に挿入された拡張保安器と、
前記ヘッドエンドに設置され、前記第２光ファイバー伝送路に対して、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦのままで、光変調により下り光信号として、前記第２光ファイバー伝送路に出力する放送波送出装置と、
各前記需要家の屋内の前記第２同軸ケーブル伝送路に挿入され、電源からの電力を前記第２同軸ケーブル伝送路に重畳するパワーインサータと、
を有し、
前記拡張タップオフは、
前記第２光ファイバー伝送路に接続し、前記第２光ファイバー伝送路を伝搬する下り光信号を下り電気信号に変換し、前記パワーインサータにより重畳された電力によって駆動されるＶ−ＯＮＵと、
前記Ｖ−ＯＮＵの出力する下り電気信号を複数に分配する分配器と、
前記Ｖ−ＯＮＵと前記分配器との間に接続され、前記Ｖ−ＯＮＵからの下り電気信号を前記分配器に出力し、前記分配器からの上り電気信号を前記タップオフに出力する分波器と、
を有し、
前記拡張保安器は、
前記第２同軸ケーブル伝送路に挿入された保安器と、
前記第２同軸ケーブル伝送路を伝送する下り電気信号のＢＳ−ＩＦ及びＣＳ−ＩＦ周波数帯域を増幅する第１増幅器と、
を有する、
ことを特徴とするＣＡＴＶシステム。
【請求項２】
前記ヘッドエンドは、前記放送波送出装置の出力する下り光信号とは波長の異なるデータ信号である光信号を前記第２光ファイバー伝送路から送受信するデータ送受信装置をさらに有し、
前記拡張タップオフは、前記第２光ファイバー伝送路からの下り光信号を、データ信号の波長帯と放送信号の波長帯とに分割し、放送信号である下り光信号を前記Ｖ−ＯＮＵに出力する波長多重装置と、前記波長多重装置のデータ信号入出力側に接続する光分配器と、をさらに有し、
各前記拡張タップオフの前記光分配器と一部の前記需要家との間に、第３光ファイバー伝送路がさらに布設されている、
ことを特徴とする請求項１に記載のＣＡＴＶシステム。
【請求項３】
前記タップオフ近傍の前記第１同軸ケーブル伝送路に分岐器を挿入し、前記タップオフに替えて分岐器を介して、前記分波器の上り電気信号を出力する端子を前記分岐器の分岐端子に接続する、ことを特徴とする請求項１または請求項２に記載のＣＡＴＶシステム。
【請求項４】
前記分波器の出力する上り電気信号を増幅する第２増幅器を前記拡張タップオフにさらに設け、前記第２増幅器とタップオフの分岐端子の１つとを接続する、ことを特徴とする請求項１または請求項２に記載のＣＡＴＶシステム。
【請求項５】
ヘッドエンドに接続する複数の第１光ファイバー伝送路と、
前記第１光ファイバー伝送路に接続する拡張タップオフと、
前記拡張タップオフにより分岐されて複数の需要家までそれぞれ布設された同軸ケーブル伝送路と、
同じく前記拡張タップオフにより分岐されて複数の需要家までそれぞれ布設された第２光ファイバー伝送路と、
前記ヘッドエンドに設置され、前記第２光ファイバー伝送路に対して、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦのままで、光変調により下り光信号として、前記第１光ファイバー伝送路に出力する放送波送出装置と、
同じく前記ヘッドエンドに設置され、前記放送波送出装置の出力する下り光信号とは波長の異なるデータ信号である光信号を前記第２光ファイバー伝送路から送受信するデータ送受信装置と、
各前記需要家の屋内の前記同軸ケーブル伝送路に挿入され、電源からの電力を前記同軸ケーブル伝送路に重畳するパワーインサータと、
各前記需要家の屋外に設置され、前記同軸ケーブル伝送路に挿入された拡張保安器と、
各前記同軸ケーブル伝送路の前記拡張タップオフ近傍に挿入された第１増幅器と、
を有し、
前記拡張タップオフは、
前記第１光ファイバー伝送路からの下り光信号を、データ信号の波長帯と放送信号の波長帯とに分割して出力する波長多重装置と、
前記波長多重装置のデータ信号入出力側に接続し、複数の前記第２光ファイバー伝送路に接続する光分配器と、
前記波長多重装置の放送信号出力側に接続し、下り光信号を下り電気信号に変換し、無給電で駆動されるＶ−ＯＮＵと、
前記Ｖ−ＯＮＵの出力する下り電気信号を複数に分配する分配器と、
を有し、
前記拡張保安器は、
前記同軸ケーブル伝送路に挿入された保安器と、
前記同軸ケーブル伝送路を伝送する下り電気信号のＢＳ−ＩＦ及びＣＳ−ＩＦ周波数帯域を増幅し、前記パワーインサータにより重畳された電力によって駆動される第２増幅器と、
を有する、
ことを特徴とするＣＡＴＶシステム。
【発明の詳細な説明】
【技術分野】
【０００１】
本発明は、ＢＳ・ＣＳデジタル放送をパススルー方式で伝送可能なＣＡＴＶシステムに関する。
【背景技術】
【０００２】
ＨＦＣ（Hybrid Fiber-Coaxial）と呼ばれるネットワークシステムが知られている（たとえば特許文献１）。これは、ヘッドエンドから幹線部分までを光ファイバー伝送路とし、幹線から各加入者までの支線部分を同軸ケーブル伝送路とする方式である。光ファイバー伝送路と同軸ケーブル伝送路は、光信号と電気信号を相互に変換する光ノード装置を用いて接続される。
【０００３】
このＨＦＣシステムにおいては、地上デジタル放送は、空間周波数帯域と同一周波数によるパススルー方式で、同軸ケーブル伝送路に伝送されている。しかし、同軸ケーブル伝送路では、特性上７７０ＭＨｚまでの帯域の信号しか伝送できないので、ＢＳ・ＣＳデジタル放送は、ＢＳ−ＩＦ、ＣＳ−ＩＦ帯域の周波数によるパススルー方式では、伝送できなかった。このため、ＢＳ・ＣＳデジタル放送は、変調方式を変換して送信するトランスモジュレーション方式などによって７７０ＭＨｚ以下の帯域にして送信されていた。
【先行技術文献】
【特許文献】
【０００４】
【特許文献１】特開２００６−７４１９３
【発明の概要】
【発明が解決しようとする課題】
【０００５】
この結果、各需要家では、地上デジタル放送については、パススルー方式で、テレビ受像機に出力し、ＢＳ・ＣＳデジタル放送については、ＳＴＢ（セットトップボックス）を介して、テレビ受像機に出力していた。
【０００６】
このため、地上ディジタル放送を見る場合には、テレビジョン受像機用のリモートコントロール操作盤により操作し、ＢＳ・ＣＳディジタル放送を見る場合には、セットトップボックス用のリモートコントロール操作盤により操作する必要があった。また、番組予約、録画予約、録画などを行う場合も、地上ディジタル放送は、テレビジョン受像機に対する操作で行い、ＢＳ、ＣＳディジタル放送は、セットトップボックスに対する操作で行う必要があった。このため、操作盤を切り換えることが必要となり、それぞれの仕様にあった操作を必要とし、操作が煩雑となっていた。
【０００７】
また、最近のテレビジョン受像機には、データ受信による番組予約、録画予約、受像機に一体的に付加された記憶装置への放送信号の記憶など、多くのディジタル放送及びデータ放送による機能が付加されている。このため、各需要家は、テレビジョン受像機だけの機能を用い、セットトップボックスの機能を使用しない傾向があった。テレビジョン受像機だけを用いるために、地上ディジタル放送は、ＣＡＴＶシステムから受信し、ＢＳ・ＣＳディジタル放送は、需要家に設置されたアンテナから受信したＢＳ−ＩＦ、ＣＳ−ＩＦ信号を、直接テレビジョン受像機に入力するようにしていた。
【０００８】
この結果、需要家は、ＣＡＴＶシステムから離れて、地上ディジタル放送も含めて、空間電波を受信する傾向にあり、ＨＦＣが有効に使用されない傾向にある。
【０００９】
また、ＦＴＴＨ方式のＣＡＴＶシステムへ移行すれば、ＢＳ・ＣＳデジタル放送をパススルー方式で伝送可能であるが、ＨＦＣ方式からＦＴＴＨ方式への移行は費用面などでハードルが高いのが現状である。
【００１０】
そこで本発明の目的は、ＢＳ・ＣＳデジタル放送をパススルー方式で伝送可能なＣＡＴＶシステムを実現することである。
【課題を解決するための手段】
【００１１】
第１の発明は、ヘッドエンドに接続する複数の第１光ファイバー伝送路と、各光ファイバー伝送路に接続する光ノード装置と、光ノード装置から下流側に向かって布設され、複数の分岐装置によって複数の経路に分岐させ、タップオフにより分岐させて複数の需要家まで布設された第１同軸ケーブル伝送路と、を有したＨＦＣシステムにおいて、ヘッドエンドからタップオフの位置まで布設され、第１光ファイバー伝送路を伝搬する光の波長とは異なる波長の光を伝搬させる複数の第２光ファイバー伝送路と、タップオフの位置に設置され、各第２光ファイバー伝送路に接続する拡張タップオフと、第１同軸ケーブル伝送路のうち、タップオフと複数の需要家との間に敷設された第１同軸ケーブル伝送路をそのまま利用して、各拡張タップオフと複数の需要家との間に敷設された複数の第２同軸ケーブル伝送路と、各需要家の屋外に設置され、第２同軸ケーブル伝送路に挿入された拡張保安器と、ヘッドエンドに設置され、第２光ファイバー伝送路に対して、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦのままで、光変調により下り光信号として、第２光ファイバー伝送路に出力する放送波送出装置と、各需要家の屋内の第２同軸ケーブル伝送路に挿入され、電源からの電力を前記第２同軸ケーブル伝送路に重畳するパワーインサータと、を有し、拡張タップオフは、第２光ファイバー伝送路に接続し、第２光ファイバー伝送路を伝搬する下り光信号を下り電気信号に変換し、パワーインサータにより重畳された電力によって駆動されるＶ−ＯＮＵと、Ｖ−ＯＮＵの出力する下り電気信号を複数に分配する分配器と、Ｖ−ＯＮＵと分配器との間に接続され、Ｖ−ＯＮＵからの下り電気信号を分配器に出力し、分配器からの上り電気信号をタップオフに出力する分波器と、を有し、拡張保安器は、第２同軸ケーブル伝送路に挿入された保安器と、第２同軸ケーブル伝送路を伝送する下り電気信号のＢＳ−ＩＦ及びＣＳ−ＩＦ周波数帯域を増幅する増幅器と、を有する、ことを特徴とするＣＡＴＶシステムである。
【００１２】
第２の発明は、第１の発明において、ヘッドエンドは、放送波送出装置の出力する下り光信号とは波長の異なるデータ信号である光信号を第２光ファイバー伝送路から送受信するデータ送受信装置をさらに有し、拡張タップオフは、第２光ファイバー伝送路からの下り光信号を、データ信号の波長帯と放送信号の波長帯とに分割し、放送信号である下り光信号をＶ−ＯＮＵに出力する波長多重装置と、波長多重装置のデータ信号入出力側に接続する光分配器と、をさらに有し、各拡張タップオフの光分配器と一部の需要家との間に、第３光ファイバー伝送路がさらに布設されている、ことを特徴とするＣＡＴＶシステムである。
【００１３】
第３の発明は、第１の発明から第２の発明において、タップオフ近傍の第１同軸ケーブル伝送路に分岐器を挿入し、タップオフに替えて分岐器を介して、分波器の上り電気信号を出力する端子を分岐器の分岐端子に接続する、ことを特徴とするＣＡＴＶシステムである。
【００１４】
第４の発明は、第１の発明または第２の発明において、分波器の出力する上り電気信号を増幅する第２増幅器を拡張タップオフにさらに設け、第２増幅器とタップオフの分岐端子の１つとを接続する、ことを特徴とするＣＡＴＶシステムである。
【００１５】
第５の発明は、ヘッドエンドに接続する複数の第１光ファイバー伝送路と、第１光ファイバー伝送路に接続する拡張タップオフと、拡張タップオフにより分岐されて複数の需要家までそれぞれ布設された同軸ケーブル伝送路と、同じく拡張タップオフにより分岐されて複数の需要家までそれぞれ布設された第２光ファイバー伝送路と、ヘッドエンドに設置され、第２光ファイバー伝送路に対して、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦのままで、光変調により下り光信号として、第１光ファイバー伝送路に出力する放送波送出装置と、同じくヘッドエンドに設置され、放送波送出装置の出力する下り光信号とは波長の異なるデータ信号である光信号を第２光ファイバー伝送路から送受信するデータ送受信装置と、各需要家の屋内の同軸ケーブル伝送路に挿入され、電源からの電力を同軸ケーブル伝送路に重畳するパワーインサータと、各需要家の屋外に設置され、同軸ケーブル伝送路に挿入された拡張保安器と、各同軸ケーブル伝送路の拡張タップオフ近傍に挿入された第１増幅器と、を有し、拡張タップオフは、第１光ファイバー伝送路からの下り光信号を、データ信号の波長帯と放送信号の波長帯とに分割して出力する波長多重装置と、波長多重装置のデータ信号入出力側に接続し、複数の第２光ファイバー伝送路に接続する光分配器と、波長多重装置の放送信号出力側に接続し、下り光信号を下り電気信号に変換し、無給電で駆動されるＶ−ＯＮＵと、Ｖ−ＯＮＵの出力する下り電気信号を複数に分配する分配器と、を有し、拡張保安器は、同軸ケーブル伝送路に挿入された保安器と、同軸ケーブル伝送路を伝送する下り電気信号のＢＳ−ＩＦ及びＣＳ−ＩＦ周波数帯域を増幅し、パワーインサータにより重畳された電力によって駆動される第２増幅器と、を有する、ことを特徴とするＣＡＴＶシステムである。
【発明の効果】
【００１６】
本発明のＣＡＴＶシステムによれば、ＢＳ・ＣＳディジタル放送をパススルー方式で伝送することができる。そのため、各需要家では、ＢＳ、ＣＳディジタル放送用のアンテナを立てる必要もなく、セットトップボックスも必要とせずに、地上ディジタル放送、ＢＳディジタル放送、ＣＳディジタル放送の選局、番組予約、録画予約、録画などを、テレビジョン受像機だけで行うことができる。よって、需要家における利便性が向上する。また、Ｖ−ＯＮＵを有した拡張タップオフ１台で複数の需要家をカバーするため、ＦＴＴＨ方式のＣＡＴＶシステムに比べて機器コスト、施工コストを低減することができる。また、本発明のＣＡＴＶシステムは、加入者単位でＦＴＴＨ方式へ移行することが可能であり、全面的にＦＴＴＨ方式へ移行する場合に比べて費用を抑えることができる。
【図面の簡単な説明】
【００１７】
【図１】実施例１のＣＡＴＶシステムの構成を示した図。
【図２】実施例２のＣＡＴＶシステムの構成を示した図。
【図３】実施例３のＣＡＴＶシステムの構成を示した図。
【図４】他の変形例のＣＡＴＶシステムの構成を示した図。
【図５】他の変形例のＣＡＴＶシステムの構成を示した図。
【発明を実施するための形態】
【００１８】
以下、本発明の具体的な実施例について図を参照に説明するが、本発明は実施例に限定されるものではない。
【実施例１】
【００１９】
図１は、実施例１のＣＡＴＶシステムの構成を示した図である。本実施例のＣＡＴＶシステムのうち、既設のＨＦＣシステムとして、ヘッドエンド１０と、フィールドに設けられた光ノード装置２３と、ヘッドエンド１０と光ノード装置２３とを接続する下り信号用の光ファイバー伝送路２１と、上り信号用の光ファイバー伝送路２２と、光ノード装置２３と需要家５０を接続する同軸ケーブル伝送路４０とが設けられている。同軸ケーブル伝送路４０には、各需要家５１に信号を分岐するための４分岐のタップオフ４１が複数、それぞれの位置に設けられている。タップオフ４１は、下流側に位置する程、分岐損失を小さく、上流側になる程、分岐損失を大きくして、増幅器がなくとも、各支線に分岐される信号レベルが、下流になっても大きく減衰しないように構成されている。
【００２０】
また、ヘッドエンド１０には、電気信号を光信号に変換して、光信号を下り信号用の光ファイバー伝送路２１に出力する電気／光変換器１１と、上り信号用の光ファイバー伝送路２２をヘッドエンド１０に向けて伝搬した光信号を電気信号に変換する光／電気変換器１２とが設けられている。電気／光変換器１１には、放送波送出装置１６とデータ送信装置１７とが接続されており、これらの装置により、従来のＣＡＴＶにおけるテレビジョン放送信号と、下りデータ信号とが各需要家５１に向けて出力される。また、既設のＨＦＣシステム下の各需要家５１からの上りデータ信号は、光／電気変換器１２により電気信号に変換されて、データ受信装置１８によりデータ処理される。電気／光変換器１１、光／電気変換器１２、光ノード装置２３は、１．３μｍのレーザ光を変調又は復調する装置である。
【００２１】
実施例１のＣＡＴＶシステムでは、上記ＨＦＣシステムに加えて、以下に示す伝送システムが新たに敷設される。ヘッドエンド１０からフィールドに配置された光分配器６０までを接続する光ファイバー伝送路６１と、光分配器６０から拡張タップオフ７０まで布設された光ファイバー伝送路６２とが新たに布設される。拡張タップオフ７０から各需要家５０までを接続する同軸ケーブル伝送路４３は、既設のＨＦＣシステムのタップオフ４１−需要家間に布設された同軸ケーブル伝送路４０をそのまま利用する。光ファイバー伝送路６１と６２とが、本発明の第２光ファイバー伝送路であり、同軸ケーブル伝送路４３が第２同軸ケーブル伝送路である。光ファイバー伝送路６１は、ヘッドエンド１０の電気／光変換器１３に接続され、その電気／光変換器１３に放送波送出装置１４とデータ送信装置１５とが接続されている。放送波送出装置１４は、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦのままで、出力する装置である。また、放送波送出装置１４は、ローカルＣＡＴＶ放送波も、地上ディジタル放送の空きチャネルの周波数で出力している。
【００２２】
各需要家５０の家屋の軒下には拡張保安器９０が設けられ、この拡張保安器９０を介して同軸ケーブル伝送路４３が家屋内に引き込まれている。拡張保安器９０は、保安器９１と、ＢＳ−ＩＦ及びＣＳ−ＩＦの周波数帯域を増幅する増幅器９２と、分波器９３、９４とを有し、それらがひとつの筐体に納められている。分波器９３、９４によって上り電気信号と下り電気信号とが分離され、下り電気信号側の分波器９３と分波器９４の端子間に増幅器９２が挿入されている。
【００２３】
需要家５０には、同軸ケーブル伝送路４３と接続する分配器５２が設けられ、その分配器５２の２つの分配端子の１つにテレビジョン受像機５３が接続され、他の分配端子にケーブルモデム５４を介して、パーソナルコンピュータ（ＰＣ）５５が接続されている。
【００２４】
フィールドに配置される拡張タップオフ７０は、Ｖ−ＯＮＵ７１と、４分配の分配器８１と、分波器８３と、によって構成されている。Ｖ−ＯＮＵ７１の光信号入力側は光ファイバー伝送路６２に接続され、電気信号出力側は分波器８３を介して４分配の分配器８１に接続されている。この分配器８１の４つの各分配端子８１１に、各需要家５０に至る同軸ケーブル伝送路４３の上流側端子４３１が接続されている。分波器８３は、一方の分波端子がＶ−ＯＮＵ７１の電気信号出力側に接続され、他方の分波端子はタップオフ４１の分岐端子に接続されている。
【００２５】
需要家５０の家屋内の同軸ケーブル伝送路４３には、パワーインサータ１００が挿入されており、家庭用電源からの電力がパワーインサータ１００を介して同軸ケーブル伝送路４３に重畳されることにより、Ｖ−ＯＮＵ７１に給電が行われる。
【００２６】
次に、実施例１のＣＡＴＶシステムの動作について説明する。
【００２７】
まず、既設のＨＦＣシステムの動作について説明する。ヘッドエンド１０の電気／光変換器１１からは、従来の放送波（地上ディジタル、アナログ、ＢＳのＱＡＭ変調、ＣＳのＱＡＭ変調、ローカルＣＡＴＶ放送など）と、下りデータ信号とが、光ファイバー伝送路２１に出力される。これらの信号は、光ノード装置２３、同軸ケーブル伝送路４０、タップオフ４１を伝送し、各需要家５１のセットトップボックスに入力し、テレビジョン受像機により選局されて画像表示される。この時、地上ディジタル放送は、パススルーにより、直接、テレビジョン受像機に入力される。一方、ＢＳ、ＣＳディジタル放送や、ローカルＣＡＴＶ放送は、セットトップボックスによりベースバンドの映像音声信号に復調されて、テレビジョン受像機の映像音声入力端子に出力される。この結果、地上ディジタル放送の選局や録画、番組予約などは、テレビジョン受像機によって操作され、ＢＳ、ＣＳディジタル放送に関しては、セットトップボックスにより選局や録画などの操作が実行される。この結果、操作が２系統となり、操作が煩雑である。
【００２８】
次に新たに布設した伝送システムの動作について説明する。ヘッドエンド１０の放送波送出装置１４からは、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦ信号のままで出力される。そして、電気／光変換器１３により、これらの放送波信号に基づいて、波長１．５５μｍのレーザ光が変調されて、光ファイバー伝送路６１に送出される。また、ローカルＣＡＴＶ放送は、地上ディジタル放送の空きチャネルで、下りデータ信号も所定の空きチャネルに、電気／光変換器１３を介して、光ファイバー伝送路６１に出力される。これらの光信号は、光分配器６０により分配され、光ファイバー伝送路６２を伝搬して、拡張タップオフ７０のＶ−ＯＮＵ７１に入力される。そして、パワーインサータ１００より同軸ケーブル伝送路４３を介して電力供給されて駆動するＶ−ＯＮＵ７１により、光ファイバー伝送路６２を介して入力された下り光信号は、空間周波数帯域における周波数配置の地上ディジタル放送、ＢＳ−ＩＦ帯域及びＣＳ−ＩＦ帯域のＢＳディジタル放送及びＣＳディジタル放送の下り電気信号に変換される。また、ローカルＣＡＴＶ放送、下りデータ信号も、同様に、下り帯域の電気信号に変換される。これらの下り帯域の電気信号は、分波器８３を通過し、分配器８１によって４分配されて、同軸ケーブル伝送路４３に出力される。そして、拡張保安器９０によって下り電気信号のＢＳ−ＩＦ及びＣＳ−ＩＦ帯域が増幅され、分配器５２で分配された後に、直接、テレビジョン受像機５３に入力する。テレビジョン受像機５３では、そのテレビジョン受像機５３の操作だけで、空間周波数と同一の周波数配置及びＢＳ−ＩＦ帯域及びＣＳ−ＩＦ帯域で入力される放送信号の選局、番組予約、録画などの操作を行うことでできる。このため、操作が極めて簡単となる。
【００２９】
一方、下りデータ信号は、分配器５２を介して、モデム５４に入力されて、ＰＣ５５で受信される。また、ＰＣ５５から出力される上りデータ信号は、分配器５２を介して同軸ケーブル伝送路４３を伝送し、分配器８１、分波器８３を介してタップオフ４１の分岐端子に入力される。そして、タップオフ４１を介して下りデータ信号は同軸ケーブル伝送路４０に出力される。これにより、ＰＣ５５は、ヘッドエッド１０と、データの相互通信を行うことができる。
【００３０】
上記の既設のＨＦＣシステムにおいて、光ノード装置２３に接続されている同軸ケーブル伝送路４０は、伝搬可能周波数の上限が７７０ＭＨｚであるので、同軸ケーブル伝送路４０には、ＢＳ−ＩＦ帯域及びＣＳ−ＩＦ帯域のＢＳディジタル放送信号及びＣＳディジタル放送信号は伝搬しない。すなわち、この既設の同軸ケーブル伝送４０には、中継増幅器や、タップオフ４１が配設されているので、７７０ＭＨｚ〜２．６ＧＨｚの帯域の信号を通過させることができない。このため、ＢＳディジタル放送信号、ＣＳディジタル放送信号を、ＢＳ−ＩＦ・ＣＳ−ＩＦパススルー方式で、伝送させることができない。
【００３１】
一方、新たに布設された伝送システムでは、光ファイバーケーブル６１、６２は、ＢＳ−ＩＦ・ＣＳ−ＩＦパススルー方式のＢＳディジタル放送信号、ＣＳディジタル放送信号の光変調信号を伝送することができる。そして、Ｖ−ＯＮＵ７１から下流側に存在する機器である、分波器８３、分配器８１、分配器５２は、いずれも、２．６ＧＨｚ帯域までの信号を伝搬することができる。そして、既設の同軸ケーブル伝送路４３を利用し、ＢＳ−ＩＦ・ＣＳ−ＩＦの周波数帯域を増幅することができる拡張保安器９０を各需要家５０の軒下に設けることにより、７７０ＭＨｚまでは従来の運用のままで、ＢＳ−ＩＦ、ＣＳ−ＩＦの帯域の伝送を実現することができる。したがって、本発明の方式を、既設のＨＦＣシステムに採用することで、パススルー方式で、ＢＳディジタル放送、ＣＳディジタル放送、ローカルＣＡＴＶ放送を伝送させることができ、上りデータ通信も行うことができる。しかも本システムでは、光ファイバー伝送路６１、６２、光分配器６０をフィールドに新たに布設し、既設のＨＦＣシステムのタップオフ４１の位置に拡張タップオフ７０を設置し、需要家５０の軒下の保安器を拡張保安器９０に置き換えるだけでよい。各需要家５０では光ファイバー伝送路の引き込で布設する必要がなく、簡単な工事で新たな伝送システムの追加が可能である。
【００３２】
［変形例１］
図４に示すように、上り電気信号の帯域を増幅する増幅器８４を設けて、増幅器８４とタップオフ４１の分岐端子の１つとを接続する構成とする。
［変形例２］
図５に示すように、新たに同軸ケーブル伝送路４０に１分岐の分岐装置４４を挿入して、分波器８３の上り電気信号出力側の端子と分岐装置４４の分岐端子とを接続する構成とする。
【実施例２】
【００３３】
図２は、実施例２のＣＡＴＶシステムの構成を示した図である。実施例２のＣＡＴＶシステムは、実施例１のＣＡＴＶシステムを以下のように変更したものである。拡張タップオフ７０に替えて、拡張タップオフ１７０を新たに設ける。また、需要家５０のうち、特定の需要家５０Ａと、拡張タップオフ１７０との間には、新たに光ファイバー伝送路６３が布設される。需要家５０Ａの軒下には、拡張保安器９０に替えて拡張保安器１９０が設置される。
【００３４】
拡張タップオフ１７０は、拡張タップオフ７０に波長多重装置７３と、４分配の光分配器７２とをさらに加えた構成である。波長多重装置７３は、光ファイバー伝送路６２に接続し、放送信号（地上デジタル放送、ＢＳ・ＣＳデジタル放送など）の下り光信号と、データ信号の下り光信号とを分離して出力する。波長多重装置７３の放送信号の下り光信号出力側は、Ｖ−ＯＮＵ７１に接続されている。また、データ信号の下り光信号出力側は、光分配器７２に接続されている。このデータ信号の下り光信号出力側は、光分配器７２からの上り光信号の入力側でもある。光分配器７２の分配端子は、光ファイバー伝送路６３に接続されていて、光ファイバー伝送路６３は需要家５０Ａの家屋内に引き込まれている。
【００３５】
需要家５０Ａの家屋内には、需要家５０の家屋内にあった分配器５２がなく、直接同軸ケーブル伝送路４３がテレビジョン受像機５３に接続され、光ファイバー伝送路６３はＯＮＵ５６に接続され、ＯＮＵ５６はＰＣ５５に接続されている。また、需要家５０Ａの家屋内の同軸ケーブル伝送路４３には、実施例１と同様にパワーインサータ１００が挿入されており、家庭用電源からの電力がパワーインサータ１００を介して同軸ケーブル伝送路４３に重畳されることにより、Ｖ−ＯＮＵ７１に給電が行われる。また、需要家５０Ａの家屋の軒下に設置される拡張保安器１９０は、拡張保安器９０から分波器９２、９３を省いた構成である。
【００３６】
ヘッドエンド１０の光ファイバー伝送路６１には光分岐器１１１が挿入され、光分岐器１１１の分岐側がＯ／Ｅ変換器１１２を介してデータ受信装置１８に接続されている。
【００３７】
なお、需要家５０と拡張タップオフ１７０の分配器８１の分配端子との間には、実施例１と同様に同軸ケーブル伝送路４３が布設されていて、需要家５０の家屋内の構成も実施例１と同様である。
【００３８】
この実施例２のＣＡＴＶシステムでは、需要家５０については実施例１と同様に放送の受信と双方向のデータ通信を行うことができ、特に、パススルー方式で伝送されてきたＢＳ・ＣＳデジタル放送を受信することができる。
【００３９】
一方、需要家５０Ａは、放送については、実施例１と同様に受信することができ、パススルー方式で伝送されてきたＢＳ・ＣＳデジタル放送を受信することができる。また、データ通信については、ＰＯＮ方式で双方向の通信を行う。そのため、需要家５０よりも高速な双方向データ通信サービスを利用することができる。
【００４０】
このように実施例２のＣＡＴＶシステムでは、ＢＳ・ＣＳデジタル放送をパススルー方式で伝送することができる。また、実施例２のＣＡＴＶシステムでは、データ通信について、実施例１と同様に既存のＨＦＣシステムを利用したデータ通信サービスを利用するか、それともＰＯＮ方式のより高速なデータ通信を利用するか、を需要家において選択することができる。
【００４１】
なお、実施例２のＣＡＴＶシステムにおいても、実施例１の変形例１、２に示した構成を適用することができる。
【実施例３】
【００４２】
図３は、実施例３のＣＡＴＶシステムの構成を示した図である。実施例３のＣＡＴＶシステムは、実施例２のＣＡＴＶシステムを以下のように変更したものである。実施例２において既設のＨＦＣシステム部分をすべて省く。そして、拡張タップオフ１７０に替えて、拡張タップオフ２７０を新たに設ける。
【００４３】
拡張タップオフ２７０は、拡張タップオフ１７０から分波器８３を省き、Ｖ−ＯＮＵ７１に替えて、無給電Ｖ−ＯＮＵ２７１を設けたものである。無給電Ｖ−ＯＮＵ２７１は、給電なしに、つまり無給電で光／電気変換を行うデバイスを用いたＶ−ＯＮＵである。
【００４４】
同軸ケーブル伝送路４３の、拡張タップオフ２７０の分配器８１の分配端子近傍には、増幅器２９０が挿入されている。これは、分配器８１による分配損失を補償するためのものである。
【００４５】
ヘッドエンド１０には、実施例２に示したヘッドエンド１０から、放送波送出装置１４、データ送信装置１５、データ受信装置１８、電気／光変換器１３、光／電気変換器１１２、光分岐器１１１、以外の構成は省かれている。
【００４６】
それ以外の構成については、実施例２のＣＡＴＶシステムと同様である。実施例３においても、同軸ケーブル伝送路４３にパワーインサータ１００が挿入されているが、これは無給電Ｖ−ＯＮＵ２７１に電力を供給するためのものではなく、拡張保安器１９０の増幅器９２に電力を供給するためのものである。
【００４７】
この実施例３のＣＡＴＶシステムでは、実施例２と同様に、ＢＳ・ＣＳデジタル放送をパススルー方式で需要家５０まで伝送することができる。また、データ通信については、ＰＯＮ方式による高速な双方向データ通信を行うことができる。また、実施例３のＣＡＴＶシステムでは、拡張タップオフ２７０のＶ−ＯＮＵ２７１は無給電で駆動でき、パワーインサータ１００による電力は、拡張保安器１９０の増幅器９２に供給されるため、需要家５０間の電力負担を公平にすることができる。
【産業上の利用可能性】
【００４８】
本発明のＣＡＴＶシステムは、ＢＳ・ＣＳデジタル放送をパススルー方式で伝送することができる。
【符号の説明】
【００４９】
１０：ヘッドエンド
１１、１３：電気／光変換器
１２、１００：光／電気変換器
１４、１６：放送波送出装置
１５、１７：データ送信装置
１８：データ受信装置
２１、２２、６１、６２：光ファイバー伝送路
２３：光ノード装置
４０、４３：同軸ケーブル伝送路
５０、５１：需要家
６０：光分配器
７０：拡張タップオフ
７１：Ｖ−ＯＮＵ
８１：分配器
８３、９３、９４：分波器
９０：拡張保安器
９１：保安器
９２：増幅器
１００：パワーインサータ
【図１】
0005727840.tif 000002
【図２】
0005727840.tif 000003
【図３】
0005727840.tif 000004
【図４】
0005727840.tif 000005
【図５】
0005727840.tif 000006